(57)【要約】      （修正有）【課題】一つの装身具で複数の形状に変化する趣向に富んだ装身具を提供する。【解決手段】接続ケース１，２の先端に磁石片を備え、かつ該先端部分の端面が左右に分かれるようになっている一対の可変磁気クラスプ１１を有し、該クラスプの端面３ないし４を垂直面内で１８０度回転させて吸着面を変え、可変クラスプ１１の形状を変化させ、装身部材の位置も変化させるようにし、磁気吸着しているクラスプ１１の係止手段として前記接続ケースの溝に結合するための凸部と該凸部を前記溝に挿入するように付勢手段することで、外力が働いても簡単に分離しないようにする。【選択図】図１
0003178192.tif 000002
【実用新案登録請求の範囲】
【請求項１】
先端に磁石を備え、かつ該先端部分の端面が傾斜端面になっている一対の可変磁気クラスプを有し、該クラスプの傾斜端面を垂直面内で１８０度回転させて吸着面を変えデザイン形状を異ならしめるようにしたことを特徴とする装身具。
【請求項２】
先端に磁石を備え、かつ該先端部分の端面が左右対称に分かれるようになっている一対の可変磁気クラスプを有し、該クラスプの端面を垂直面内で１８０度回転させて吸着面を変え、装身部材の位置を変化させデザイン形状を異ならしめすようにしたことを特徴とする装身具。
【請求項３】
互いに磁気吸着可能な一対の磁気ペアを用いた磁気クラスプであって、分離可能な一対の開口部に磁気ペアを構成している磁気片を有する接続ケースを構成し、前記磁気ペアの磁力により該接続ケースが接続可能となり、該接続ケースを互いに引き離した際に、前記可変磁気クラスプが分離可能としたことを特徴とする請求項１又は請求項２のいずれからに記載された装身具。
【請求項４】
磁気吸着された前記可変磁気クラスプの係止手段として前記接続ケースの溝に結合するための凸部と、該凸部を前記溝に挿入するように働く付勢手段とを有し、外力に容易に分離しないようにしたことを特徴とする請求項１又は請求項２のいずれからに記載された装身具。
【考案の詳細な説明】
【技術分野】
【０００１】
本考案は装身具類において、部材の接続に用いられるお互いに磁気吸着可能な磁気ペアを使用し、接続ケースの向きを変え組み合わせを変えることで、用途の違うものになる、可変磁気クラスプパーツを使用した装身具に関する。
【背景技術】
【０００２】
従来、ネックレスに使用されている留め金具では、引き輪、フック型クラスプ、中折れ式クラスプ、差し込み式クラスプ等、一部を開閉して相手金具に引っ掛け、バネなどの力を使い閉じる構造を持つものが一般的である。
上記従来のものは、構造的にも精度を求められ、多少の変形で動きが悪くなるという不具合が起きやすく、小さなパーツを指先で操作するので操作性のよくないものが多い。
【０００３】
そのため、磁石を接続金具として、例えば特許公開２００３−６１７１７号が提案されているが、磁気ペアを合わせた構造では磁気吸着方向とは逆方向に引き離す力には有効であるものの、ひねりや、回転するために簡単に外れてしまうという性質がある。これに対して特開２０００−３２５１１７号は、磁気吸着するペアに係り止め突起とそれが嵌合する穴を設け、吸着面からの横ずれを防止しているが傾斜方向の力による問題は防げない。
【０００４】
さらに、従来の物は装身具類において、つなぎ合わせるという役目以外、実用新案登録第３１１８９９０号が提案している丸玉ネックレスに、特殊金具をつけ、丸玉を挟むことによって長さ調整ができ、装脱着が出来る物があるが、形が変化し用途の違うものになるクラスプパーツはない。
【先行技術文献】
【特許文献】
【０００５】
【特許文献１】特開２００３−６１７１７号公報
【特許文献２】特開２０００−３２５１１７号公報
【特許文献３】実用新案登録第３１１８９９０号公報
【考案の概要】
【考案が解決しようとする課題】
【０００６】
本考案は、前記の点に着目してなされたもので、その課題は脱着操作を容易かつ確実に行え、簡単な操作で形を変化させ用途の違う装身具類にする可変磁気クラスプパーツを有する装身具を提供することである。
【課題を解決するための手段】
【０００７】
そこで、本考案は、上述のような問題を解決すべく案出されたもので、装身具類において部材の接続に用いられる、お互いに磁気吸着可能な磁気ペアを使用した磁気クラスプパーツに、分離可能な接続ケースの開口部に磁気ペアの磁気片を夫々取り付け、磁気ペアの磁力により接続可能とする。同時に、接続ケースを左右に引き離した時にのみ分離可能とし、接続ケースの溝に係合するための凸部と、該凸部分を前記溝に挿入するように付勢する手段を講じる。
かかる構成により、分離可能な接続ケースの形状によって片方の向きを変え組み合わせることで、それまでの形状とは異なる形状に変え、用途の違う使用目的の磁気クラスプパーツを有する装身具となる。
【０００８】
本考案の磁気クラスプパーツを有する装身具は、分離可能となる一対の接続ケースと分離端の開口部に夫々取り付けられる一対の磁力片から成り、接続ケースには開口部側にて磁力が一番強く働くように隙間を設けることにより磁気回路を形成し、磁気吸引による作用をより向上させる効果もあり、直接触れることによる磁石の磁力が低下することを防ぐようにした機能も備えている。
本考案の磁気ペアは、磁力によって結合可能な組み合わせの対のことであり、永久磁石同士の組み合わせや、永久磁石と強磁性体の組み合わせからなどから成る。
【０００９】
本考案における磁気ペアは、磁力と接続ケースの溝に係合するための凸部と、該凸部分を前記溝に挿入することにより接続可能であり、接続ケースを左右に引き離した時に分離可能とし、その以外の時には分離が妨げられるようにする。
【００１０】
磁気吸着している磁気ペアに、傾斜方向や回転方向の外力が働いても分離しないようにし、磁石同士の隙間を設ける。接続ケースの内側に溝が囲んであり、さらにその溝の上下にもう一段溝を設けてあるので、磁気ペアを引き離そうとしても溝にかかる突起が外れるまで分離が妨げられる。
【００１１】
接続ケースは、内部構造を変えることなく外側の構造を変えることにより、形の違う物に変化するものと、左右対称の形だがそれを繋げる装身具類の繋がる部分の位置が変わるため、用途の違う装身具に変化する。接続ケースは多様な種類の開発が可能となり、デザイン性も向上させる効果もある。
【考案の効果】
【００１２】
本考案は、以上の如く構成されかつ作用するものであるから従来から有るもののように一用途の機能、デザインだけではなく磁気ペアを構成している磁気片と接続ケースを接触、分離、組み合わせる方向を組み換えることで用途の違う形状を作り出すことが可能になり、操作性も良く、接続状態にあるものは適度な力ではずれ取扱い易い。
【図面の簡単な説明】
【００１３】
【図１】本考案の一実施例を示す装身具類全体を示す平面図である。
【図２】本考案に用いるクラスプの分離状態を示す平面図である。
【図３】同じく本考案のクラスプの分離状態を示す断面図である。
【図４】上記クラスプの接続方向を変えた状態の平面図である。
【図５】本考案の他のクラスプの形状を示す平面図である。
【図６】同じく本考案の他のクラスプの形状を示す平面図である。
【図７】同じく本考案の他のクラスプの形状を示す平面図である。
【図８】同じく本考案の他のクラスプの形状を示す平面図である。
【図９】同じく本考案の他のクラスプの形状を示す平面図である。
【図１０】同じく本考案の他のクラスプの形状を示す平面図である。
【図１１】同じく本考案の他のクラスプの形状を示す平面図である。
【図１２】同じく本考案の他のクラスプの形状を示す平面図である
【図１３】同じく本考案の他のクラスプの形状を示す平面図である。
【図１４】同じく本考案の他のクラスプの形状を示す平面図である。
【図１５】同じく本考案の他のクラスプの形状を示す平面図である。
【図１６】同じく本考案の他のクラスプの形状を示す平面図である。
【図１７】同じく本考案の他のクラスプの形状を示す平面図である。
【図１８】同じく本考案の他のクラスプの形状を示す平面図である。
【図１９】同じく本考案の他のクラスプの形状を示す平面図である。
【図２０】同じく本考案の他のクラスプの形状を示す平面図である。
【考案を実施するための形態】
【００１４】
本考案の実施例を示すが、もちろん、これに限定されるものではない。本考案可変磁気クラスプパーツを有する装身具について、図示を参照して説明する。        
図において、装身具類９は図１に例示したようなネックレス状のもので、装身部材接続部分１０の端部を接続して環状にして、装身具部材の端部に繋がる接続ケース１，２の先端部分３，４の片方を１８０度回転させ向きを合わせ接続し、図４の形態に変化させてペンダントのデザイン部分とするために、本発明の可変磁気クラスプ１１，１２が使用される。
【００１５】
本考案に係わる可変磁気クラスプパーツ１１，１２の実例を示すもので磁気吸着可能な磁気ペアは、磁石から成る一対の磁石片５，６から成る例であり、磁気片５，６は一対の接続ケース１，２に嵌め合わせ、開口部１３，１４の縁を接着、かしめ加工することにより固定される。磁石片５，６の間には一定の間があり磁石片同士が、直接接し摩擦することによる磁気吸着力が落ちるのを防ぎ、一定の間が設けられていることで磁気吸着力が保持される様になっている。
【００１６】
接続ケース１，２は、どのような材質であってもが良いが例示の物は、Ａｇ９２５を使用し、原型を作りロストワックス鋳造によって加工したものから成る。接続ケース１，２の加工方法は、ロストワックス鋳造の他の加工方法で作っても良い。
【００１７】
図３の分離留７，８が接続ケース１，２の内側に設けられている。分離留７，８派それぞれ凹凸になっており、接続ケースの分離端である一端がその中に収まるように成っている。接続している状態から接続ケース１，２を左右に引き離すことにより分離することができる。
【００１８】
接続部分７，８や、磁石片５，６、それを固定する１３，１４の構造を変えることなく接続ケース１，２の形状を変えることによって、様々なデザインで作ることができる。図５から図１２までは、その一例を示したものであり、ここに示したデザインだけに限らず様々な形状にする事が出来る。
【００１９】
接続ケース１，２は、該先端部分の端面が傾斜端面になっており、図１の状態から接続ケース１、ないし２の先端部分３，４の片方を垂直面内で１８０度回転させ吸着面を変え、図４の形態に変化させることができる。
【００２０】
接続ケース１，２は、図１から図１０のように該先端部分の端面を傾斜面にせずに、左右対称になるように分け、接続ケース１、ないし２の先端部分３，４の片方を垂直面内で１８０度回転させ吸着面を変えることにより、装身部材接続部分１０の端部の方向が変わり、基本的な形は変化しないが用途の違う形態に変化させることができる。
【００２１】
装身具類９を固定する部分は、装身部材接続部分１０のように接続ケース１，２に直接接続しても、装身部材接続部分１５のように接続ケース１，２に丸環をつけて接続させても良い。
【符号の説明】
【００２２】
１    接続ケース
２    接続ケース
３    接続ケース先端部分
４    接続ケース先端部分
５    磁石片
６    磁石片
７    分離留凸部
８    分離留凹部
９    装身具類
１０  装身部材接続部分
１１  可変磁気クラスプパーツ装身具
１２  可変磁気クラスプパーツ装身具
１３  磁石片の固定部分
１４  磁石片の固定部分
１５  装身部材接続部分
【図１】
0003178192.tif 000003
【図２】
0003178192.tif 000004
【図３】
0003178192.tif 000005
【図４】
0003178192.tif 000006
【図５】
0003178192.tif 000007
【図６】
0003178192.tif 000008
【図７】
0003178192.tif 000009
【図８】
0003178192.tif 000010
【図９】
0003178192.tif 000011
【図１０】
0003178192.tif 000012
【図１１】
0003178192.tif 000013
【図１２】
0003178192.tif 000014
【図１３】
0003178192.tif 000015
【図１４】
0003178192.tif 000016
【図１５】
0003178192.tif 000017
【図１６】
0003178192.tif 000018
【図１７】
0003178192.tif 000019
【図１８】
0003178192.tif 000020
【図１９】
0003178192.tif 000021
【図２０】
0003178192.tif 000022